(57)【特許請求の範囲】
【請求項１】
病室に設置されるナースコール子機が呼出信号を発生する呼出ボタンを備え、ナースステーションに設置されるナースコール親機が前記呼出信号に応答して呼出音を発生する呼出音発生手段と、前記呼出信号に対応する看護履歴を記録する記録手段とを備えたナースコールシステムにおいて、
前記ナースコール子機が、前記病室を巡回する看護師によって操作される押しボタンと、前記押しボタンが操作されたときに、前記ナースコール親機に前記呼出信号を出力した後に、前記呼出音発生手段を停止させるための復旧指令を直ちに出力する子機制御手段とを備え、
前記ナースコール親機は、前記復旧指令を受信していない場合、通常の呼出信号に対応する呼出音を呼出音設定テーブルから読み出して前記呼出音発生手段に発生させ、前記復旧指令を受信した場合、呼出音が発生しないように前記呼出音発生手段の動作を停止する親機制御手段を備えたことを特徴とするナースコールシステム。
【請求項２】
病室に設置されるナースコール子機が呼出信号を発生する呼出ボタンを備え、ナースステーションに設置されるナースコール親機が前記呼出信号に応答して呼出音を発生する呼出音発生手段と、前記呼出信号に対応する看護履歴を記録する記録手段とを備えたナースコールシステムにおいて、
前記ナースコール子機が、前記病室を巡回する看護師によって操作される押しボタンと、前記押しボタンが操作されたときに、前記ナースコール親機に前記呼出信号を出力する子機制御手段とを備え、
前記ナースコール親機が、前記押しボタンの操作に伴う前記呼出信号を受信したときに、呼出音が発生しないように前記呼出音発生手段の動作を停止させ、同時に、前記ナースコール子機で呼出確認音が発生しないように復旧指令をナースコール子機に出力する親機制御手段を備えたことを特徴とするナースコールシステム。
【請求項３】
前記押しボタンが、前記ナースコール子機に既設のオプション呼出端子に付設されている請求項１または２記載のナースコールシステム。
【発明の詳細な説明】
【技術分野】
【０００１】
本発明は、病室に設置されたナースコール子機とナースステーションに設置されたナースコール親機とが通話を行うナースコールシステムに関し、特に、病室を巡回する看護師による作業内容を看護履歴として記録する機能を備えたナースコールシステムに関する。
【背景技術】
【０００２】
この種のシステムとして、従来、ナースコール子機からの呼び出しを看護履歴としてナースコール親機の記録装置に記録するシステムが知られている。例えば、特許文献１には、患者がナースコール子機の呼出ボタンを押すと、ナースコール親機が呼出信号に基づいて呼出時刻、呼出内容、患者名、ベッド番号等の情報を看護履歴として記録するナースコールシステムが提案されている。
【０００３】
また、特許文献２には、ナースコール子機が、病室を巡回する看護師によって操作される複数の押しボタンと、各押しボタンに予め関連付けられた識別情報を送信する送信手段とを備え、ナースコール親機が、ナースコール子機から受信した識別情報に基づいて、看護師による作業内容を日時、患者名と共に記憶する記憶手段を備えたナースコールシステムが記載されている。
【先行技術文献】
【特許文献】
【０００４】
【特許文献１】特開２００６−２３０８９２号公報
【特許文献２】特開２００６−７５３３２号公報
【発明の概要】
【発明が解決しようとする課題】
【０００５】
ところが、特許文献１のナースコールシステムによると、患者の呼び出しに関連する情報は記録できるが、看護師による定期的な巡回や自主的な排泄介助等の病室作業を看護履歴として記録することができなかった。このため、看護師は、ナースステーションに戻った後に、作業内容をナースコール以外の管理システムに手入力によって記録するという面倒があった。
【０００６】
これに対し、特許文献２のナースコールシステムは、看護師がナースコール子機の押しボタンを操作することで、病室で行った作業内容をその場で看護履歴として残すことができる。しかし、ナースコール子機に押しボタン信号を出力するための端子や信号線を増設したり、ナースコール親機に押しボタン信号を処理するためのプログラムを用意したりするなど、ハードとソフトの大掛かりな改修が必要になるという問題点があった。
【０００７】
そこで、本発明の目的は、既存の呼出／応答システムを利用し、ナースステーションに呼出音を発生させることなく、看護師の病室作業を看護履歴として記録することができるナースコールシステムを提供することにある。
【課題を解決するための手段】
【０００８】
上記課題を解決するために、本発明は、病室に設置されるナースコール子機が呼出信号を発生する呼出ボタンを備え、ナースステーションに設置されるナースコール親機が呼出信号に応答して呼出音を発生する呼出音発生手段と、呼出信号に対応する看護履歴を記録する記録手段とを備えたナースコールシステムにおいて、次のような手段を提供する。
【０００９】
（１）ナースコール子機が、病室を巡回する看護師によって操作される押しボタンと、押しボタンが操作されたときに、ナースコール親機に呼出信号を出力した後に、呼出音発生手段を停止させるための復旧指令を出力する子機制御手段とを備えたことを特徴とするナースコールシステム。
【００１０】
（２）ナースコール子機が、病室を巡回する看護師によって操作される押しボタンと、押しボタンが操作されたときに、ナースコール親機に呼出信号を出力する子機制御手段とを備え、ナースコール親機が、呼出ボタンおよび押しボタンからの呼出信号に応答する呼出音を設定するための呼出音設定手段を備え、押しボタンからの呼出信号に応答する呼出音が無音に設定されていることを特徴とするナースコールシステム。
【００１１】
（３）ナースコール子機が、病室を巡回する看護師によって操作される押しボタンと、押しボタンが操作されたときに、ナースコール親機に呼出信号を出力する子機制御手段とを備え、ナースコール親機が、押しボタンの操作に伴う呼出信号を受信したときに、呼出音発生手段を停止させるための復旧指令を出力する親機制御手段を備えたことを特徴とするナースコールシステム。
【００１２】
（４）押しボタンが、ナースコール子機に既設のオプション呼出端子に付設されていることを特徴とする上記（１）、（２）または（３）に記載のナースコールシステム。
【発明の効果】
【００１３】
上記（１）のナースコールシステムによれば、看護師がナースコール子機の押しボタンを押すと、ナースコール子機からの復旧指令に応答して、ナースコール親機が呼出音を停止した状態で、看護師の作業内容を看護履歴として記録する。従って、既存の呼出／応答システムを利用し、ナースコール子機の一部を改良することによって、看護履歴の無音記録機能を実現できるという効果がある。
【００１４】
上記（２）のナースコールシステムによれば、看護師がナースコール子機の押しボタンを押すと、ナースコール親機が呼出音発生手段を無音動作させた状態で、看護師の作業内容を看護履歴として記録する。従って、既存の呼出／応答システムを利用し、ナースコール親機の設定を部分的に変えることによって、看護履歴の無音記録機能を実現できるという効果がある。
【００１５】
上記（３）のナースコールシステムによれば、看護師がナースコール子機の押しボタンを押すと、ナースコール親機自身が呼出音発生手段を停止させた状態で、看護師の作業内容を看護履歴として記録する。従って、既存の呼出／応答システムを利用し、ナースコール親機のプログラムを部分的に改変することによって、看護履歴の無音記録機能を実現できるという効果がある。
【００１６】
上記（４）のナースコールシステムによれば、押しボタンをナースコール子機に既設のオプション呼出端子に接続するので、ナースコール子機の内部回路を改造したり、回路基板を交換したりすることなく、既存システムに上記新規機能を安価に追加できるという効果がある。
【図面の簡単な説明】
【００１７】
【図１】本発明の実施例１を示すナースコールシステムの構成図である。
【図２】（ａ）はナースコール子機の外観図、（ｂ）はその部分回路図である。
【図３】ナースコール子機を示すブロック図である。
【図４】ナースコール親機を示すブロック図である。
【図５】ナースコール子機および親機の動作を示すフローチャートである。
【図６】実施例２のナースコールシステムで用いられる呼出対照表である。
【図７】実施例３のナースコールシステムを示すフローチャートである。
【発明を実施するための形態】
【００１８】
以下、本発明による幾つかの実施例を図面に基づいて詳細に説明する。
【実施例１】
【００１９】
図１〜図５は実施例１のナースコールシステム１を示す。図１に示すように、このナースコールシステム１は、病室に設置される複数台のナースコール子機１１（１１ａ，１１ｂ・・・）と、ナースステーションに設置される１台また複数台のナースコール親機３１とを備えている。ナースコール子機１１とナースコール親機３１は、図示しない廊下灯を介して有線または無線の伝送ライン２によって双方向の通信／通話が可能に接続されている。
【００２０】
ナースコール子機１１は、病室の壁等に装着される子機プレート１２と、患者が操作する外部握りボタン１３とを装備している。外部握りボタン１３にはナースコールを発生する呼出ボタン１４とトイレ介助を求める呼出ボタン１５（共に図３参照）とが設けられ、子機プレート１２に同じくナースコールを発生する呼出ボタン１６が設けられている。そして、患者が各呼出ボタン１４，１５，１６を操作したときに、それぞれ異なる呼出信号がナースコール子機１１からナースコール親機３１に出力されるようになっている。
【００２１】
図２（ａ）に示すように、子機プレート１２には、外部握りボタン１３を含む各種の外部機器を接続するためのコネクタ１７、患者が通話に使用する子機マイク１８と子機スピーカ１９、病室を巡回する看護師が操作する押しボタン２０、２１、押しボタン２０，２１および呼出ボタン１４，１５，１６の操作を取り消すための復旧ボタン２２が設けられている。なお、子機プレート１２の構成は、押しボタン２０，２１を除き、従来と同様である。
【００２２】
押しボタン２０，２１には、看護師が病室で行った自発的な作業をその場で記録できるように、作業内容に応じて、例えば「巡回」、「排泄」等の表示が設けられている。図２（ｂ）に示すように、押しボタン２０，２１は、ナースコール子機１１の回路基板２３に既設のオプション呼出端子２４に付設されている。オプション呼出端子２４の近傍には、押しボタン２０，２１を押した看護師に復旧ボタン２２の操作を促すためのＬＥＤランプ２５が配設されている。
【００２３】
図３に示すように、ナースコール子機１１には、さらに、コネクタ１７の接続不良を報知する脱落断線警報器２６、ランプ駆動回路２７および子機ＣＰＵ２８が設けられている。ランプ駆動回路２７は、ＬＥＤランプ２５を押しボタン２０，２１が押されたときに点灯させ、復旧ボタン２２が押されたときに消灯させる。子機ＣＰＵ２８は、ナースコール子機１１の各部を制御し、看護師によって押しボタン２０，２１が押されたときに、それぞれ異なるオプション呼出信号をナースコール親機３１に出力するようになっている。
【００２４】
図４に示すように、ナースコール親機３１には、ナースステーションの看護師が病室の患者と通話を行うための送受話器３２と、ナースコール子機１１からの呼出信号に応答して看護師を呼び出すための呼出音を発生する呼出用スピーカ３３と、呼出信号に応じてそれぞれ異なる呼出音を設定するための呼出音設定テーブル３４とが設けられている。呼出音設定テーブル３４は、例えば図６に示すような呼出対照表の形式でナースコール親機３１の記憶装置（図示略）に格納されている。
【００２５】
また、ナースコール親機３１には、呼出ボタン１４，１５，１６および押しボタン２０，２１に予め対応付けられた履歴情報を記録するための履歴記録用データベース３５と、履歴情報にその発生時刻を付加するための履歴記録用時計３６と、履歴情報および呼出情報を含む各種看護情報を表示するためのディスプレイ３７と、ナースコール親機３１の全体を制御する親機ＣＰＵ３８とが設けられている。なお、ナースコール親機３１に看護師が携帯する医療用携帯端末を接続することも可能である。
【００２６】
次に、実施例１のナースコールシステム１の動作について説明する。図５に示すように、まず、ナースコール子機１１において、患者が呼出ボタン１４，１５，１６を押すか、あるいは、看護師が押しボタン２０，２１を押すと（Ｓ１１）、子機ＣＰＵ２８は押されたボタンに応じた呼出信号をナースコール親機３１に出力する（Ｓ１２）。次に、ナースコール親機３１において、親機ＣＰＵ３８は受信した呼出信号に対応する看護履歴を呼出音設定テーブル３４から読み出し、その呼出信号の発生時刻と共に履歴記録用データベース３５に記録する（Ｓ１３）。
【００２７】
続いて、ナースコール子機１１において、子機ＣＰＵ２８は、呼出信号が看護師による押しボタン２０，２１の操作を契機に発生したオプション呼出信号であるか、患者による呼出ボタン１４，１５，１６の操作を契機に発生した通常の呼出信号であるかを判別する（Ｓ１４）。そして、子機ＣＰＵ２８は、通常の呼出信号を判別した場合に処理を終了し、オプション呼出信号を判別した場合は、呼出用スピーカ３３を停止させるために、復旧ボタン２２による指令と同等の機能を発揮する復旧指令をナースコール親機３１に出力する（Ｓ１５）。
【００２８】
次に、ナースコール親機３１において、親機ＣＰＵ３８は、ナースコール子機１１から復旧指令を受信したか否かを確認する（Ｓ１６）。復旧指令を受信していない場合は、通常の呼出信号に対応する呼出音を呼出音設定テーブル３４から読み出し、呼出用スピーカ３３に発生させたのち（Ｓ１７）、通話処理に移行する（Ｓ１８）。一方、復旧指令を受信した場合は、ナースステーションに呼出音が発生しないように、呼出用スピーカ３８を停止させ（Ｓ１９）、一連の処理を終了する。
【００２９】
従って、実施例１のナースコールシステム１によれば、既存のナースコール親機３１をそのまま使用でき、ナースコール子機１１に押しボタン２０，２１および復旧指令を設けることによって、既存の呼出／応答システムに看護履歴の無音記録機能を追加することができる。特に、押しボタン２０，２１を回路基板２３上に既設のオプション呼出端子２４に付設しているので、回路基板２３を交換することなく、ナースコール子機１１を安価に改修できるという利点がある。
【実施例２】
【００３０】
次に、本発明の実施例２について説明する。実施例２のナースコールシステムは、押しボタン２０，２１が押されたときに、ナースコール親機３１に呼出音を発生させないための構成において、実施例１と相違する。すなわち、図６に示すように、ナースコール親機３１の呼出音設定テーブル３４に、押しボタン２０，２１からのオプション呼出信号１，２に対応する呼出音がそれぞれ無音に設定されている。
【００３１】
より詳しくは、ナースコール子機１１の呼出ボタン１４，１５，１６からの通常の呼出信号には、「ナースコール」と「トイレ介助」の看護履歴が割り当てられるとともに、「メロディ１」と「メロディ２」の呼出音が設定されている。脱落断線警報器２６からの警報信号には、「脱落断線」の事故履歴と共に「メロディ３」の呼出音が設定されている。これに対し、押しボタン２０からのオプション（呼出信号）１には、「巡回」の看護履歴と共に「無音」の呼出音が設定されている。また、押しボタン２１からのオプション（呼出信号）２には、「排泄介助」の看護履歴と共に「無音」の呼出音が設定されている。
【００３２】
そして、親機ＣＰＵ３８が、ナースコール子機１１から受信した呼出信号の種類に対応する看護履歴と呼出音を呼出音設定テーブル３４から読み出し、看護履歴を履歴記録用データベース３５に記録し、呼出音を呼出用スピーカ３３に発生させる。このため、押しボタン２０，２１の操作に伴ってオプション呼出信号１，２が発生したときに、呼出用スピーカ３３を無音動作させ、ナースステーションの看護師を煩わせることなく、「巡回」または「排泄介助」の病室作業を看護履歴として残すことができる。
【００３３】
従って、実施例２のナースコールシステムによれば、ナースコール親機３１において、呼出音設定テーブル３４の設定内容を変えることにより、既存の呼出／応答システムに看護履歴の無音記録機能を追加することができる。
【実施例３】
【００３４】
次に、本発明の実施例３について説明する。実施例３のナースコールシステムは、押しボタン２０，２１が押されたときに、ナースコール親機３１の呼出用スピーカ３３を親機ＣＰＵ３８からの指令で停止させる手順において、実施例１，２と相違する。すなわち、図７に示すように、呼出ボタン１４，１５，１６または押しボタン２０，２１が押されると（Ｓ２１）、そのボタンに応じた呼出信号がナースコール子機１１からナースコール親機３１に出力され（Ｓ２２）、親機ＣＰＵ３８が受信した呼出信号に対応する看護履歴を看護履歴記録用データベース３５に記録する（Ｓ２３）。
【００３５】
続いて、親機ＣＰＵ３８は、呼出信号がオプション呼出信号であるか、通常の呼出信号であるかを確認する（Ｓ２４）。通常の呼出信号である場合は、その呼出信号に対応する呼出音を呼出音設定テーブル３４から読み出し、呼出用スピーカ３３に発生させたのち（Ｓ２５）、通話処理に移行する（Ｓ２６）。一方、オプション呼出信号を確認した場合は、復旧指令を出力し（Ｓ２７）、呼出用スピーカ３３を停止させ（Ｓ２８）、同時に、ナースコール子機１１で呼出確認音が発生しないように、復旧指令をナースコール子機１１に送信する。
【００３６】
そして、子機ＣＰＵ２８が、復旧指令を受信したか否かを確認し（Ｓ２９）、受信した場合に、子機スピーカ１９を停止させ（Ｓ３０）、一連の処理を終了する。従って、実施例３のナースコールシステムによれば、ナースコール子機１１に押しボタン２０，２１を設け、その復旧指令をナースコール親機３１のプログラムに付加することによって、既存の呼出／応答システムを利用し、看護履歴の無音記録機能を実現できるという効果がある。
【００３７】
なお、本発明は上記実施例１〜３に限定されるものではなく、例えば、図２（ａ）に示す子機プレート１２において、呼出ボタンや押しボタンの配列を変更したり、図２（ｂ）に示す回路基板２３において、オプション呼出端子２４に別の病室作業に対応する押しボタンを追加したりするなど、発明の趣旨を逸脱しない範囲で、各部の構成を適宜に変更して実施することも可能である。
【符号の説明】
【００３８】
１    ナースコールシステム
１１    ナースコール子機
１４，１５，１６    呼出ボタン
２０，２１    押しボタン
２２    復旧ボタン
２４    オプション呼出端子
２５    ＬＥＤランプ
２８    子機ＣＰＵ
３１    ナースコール親機
３３    呼出用スピーカ
３４    呼出音設定テーブル
３５    履歴記録用データベース
３８    親機ＣＰＵ
【図１】
0005462811.tif 000002
【図２】
0005462811.tif 000003
【図３】
0005462811.tif 000004
【図４】
0005462811.tif 000005
【図５】
0005462811.tif 000006
【図６】
0005462811.tif 000007
【図７】
0005462811.tif 000008